(57)【要約】【課題】内孔における接合境界部がケースの内孔支持部と干渉しなくなることから、ＣＤ用のケースに収納しても剥離等の品質低下が生じない情報ディスクを提供し、情報ディスクにおけるユーザの使い勝手を向上させ、併せてケース製造コストを低減する。【解決手段】それぞれ中心に内孔３３を有した上ディスク３５と下ディスク３７とを貼り合せた円環板状の情報ディスク３１であって、上ディスク３５の内孔３３における下面側エッジ部３９と、下ディスク３７の内孔３３における上面側エッジ部４１とを、内孔３３の内周面から除去して内孔３３の円周方向に連続する面取り部４３を形成した。【選択図】　　　　図１
2004139667.tif 000002
【特許請求の範囲】
【請求項１】
それぞれ中心に内孔を有する上ディスク及び下ディスクを貼り合せた円環板状の情報ディスクであって、
前記上ディスクの前記内孔における下面側エッジ部と、前記下ディスクの前記内孔における上面側エッジ部とを、前記内孔の内周面から除去して形成した面取り部を有することを特徴とする情報ディスク。
【請求項２】
前記上ディスク又は前記下ディスクのいずれか一方の前記内孔における周縁を、前記上ディスク又は前記下ディスクのいずれか他方に向けて前記内孔の中心軸に沿って円筒状に延出し、該円筒状の延出部の外周に、前記上ディスク又は前記下ディスクのいずれか他方の前記内孔を外嵌したことを特徴とする請求項１記載の情報ディスク。
【請求項３】
前記上ディスク又は前記下ディスクのいずれか他方の外周縁を、前記上ディスク又は前記下ディスクのいずれか一方に向けて前記内孔の中心軸に沿って円筒状に延出し、該円筒状の延出部の内周に、前記上ディスク又は前記下ディスクのいずれか一方の外周を嵌合したことを特徴とする請求項２記載の情報ディスク。
【発明の詳細な説明】
【０００１】
【発明の属する技術分野】
本発明は、内孔を有した上ディスクと下ディスクとを貼り合せて構成される情報ディスクに関し、特にその内孔部における内周構造の改良技術に関する。
【０００２】
【従来の技術】
例えば、情報ディスクの一つであるコンパクトディスク（以下、単にＣＤと称す）は、厚み１．２ｍｍの１枚の樹脂プレス成型品からなっている。図７に示すように、円環板状に形成されたＣＤ１には内孔３が形成されており、この内孔３はＣＤを図示しない光ディスク装置にチャッキングする際、或いはＣＤ１を図示しない収納ケースに保持させる際に利用されている。
【０００３】
ＣＤ１を収納するケースは、例えば、図８に図７のＡ部における断面を示すように、内孔３に嵌入してＣＤ１を保持する複数の内孔支持部（弾性保持片）５を内孔３の円周方向に有しており、弾性保持片５の外周面５ａを内孔３の内周面３ａに接触させてＣＤ１を保持する。なお、図８中、７は弾性保持片５を中央孔に固着したトレイを示し、ＣＤ１との間に間隙９を有するように配設されている。
【０００４】
ところで、近年、光ディスク分野においては、記録容量を増大させる技術が発展し、記録容量をより高密度化させたＤＶＤ（Ｄｉｇｉｔａｌ　Ｖｅｒｓａｔｉｌｅ　Ｄｉｓｃ）が開発されるに至っている。ＤＶＤ１１は、図９に示すように、厚み０．６ｍｍの樹脂製円盤（上ディスク１３と下ディスク１５）を２枚貼り合わせて作製されている。このような外観上ＣＤ１と変わらないＤＶＤ１１は、上ディスク１３と下ディスク１５とを貼り合わせた接合境界部１７が、内孔３の内周面３ａに露出している。
【０００５】
このＤＶＤ１１の場合、上ディスク１３と下ディスク１５とを貼り付けた接合境界部１７に強い力が負荷されると、双方のディスクが剥がれる原因となり、このため、内孔３を弾性保持片５に固定するための嵌合力を強くした従来のＣＤ用の収納ケースをＤＶＤに代用することは推奨されていない。
【０００６】
従って、ＤＶＤ１１の収納ケースは、図１０に示すように、内孔３の内径より若干小さな外径となる弾性保持片５により、ＤＶＤ１１を回転可能に保持するとともに、接合境界部１７が弾性保持片５に当接しない構造を採っていた。
【０００７】
なお、この出願の発明に関連するＤＶＤ用の収納ケースの先行技術文献情報としては、例えば次のものがある。
【特許文献１】
特開２００１−１０１７３８号公報（図１、図４）
【特許文献２】
特開２００１−１４７３４号公報（図１）
【０００８】
【発明が解決しようとする課題】
しかしながら、ＣＤと概ね同形状のＤＶＤに対して、ＣＤ用ケースとは異なるＤＶＤ専用のケースを用いなければならないことは、情報ディスクの保管・管理の煩雑化を招くことになる。また、それぞれのケースを識別することも容易ではない。このような状況のために情報ディスクの使い勝手が低下するという問題があった。さらに、ＤＶＤ用ケースは、市場に多数出回っているＣＤ用ケースに比べ、製造コストが高くなるという不利があった。
【０００９】
本発明は上記状況に鑑みてなされたもので、ＣＤ用のケースに収納しても剥離等の品質低下が生じない情報ディスクを提供し、もって、情報ディスクにおけるユーザの使い勝手を向上させ、併せてケース製造コストの低減を図ることを目的とする。
【００１０】
【課題を解決するための手段】
上記目的を達成するための本発明に係る請求項１記載の情報ディスクは、それぞれ中心に内孔を有する上ディスク及び下ディスクを貼り合せた円環板状の情報ディスクであって、前記上ディスクの前記内孔における下面側エッジ部と、前記下ディスクの前記内孔における上面側エッジ部とを、前記内孔の内周面から除去して形成した面取り部を有することを特徴とする。
【００１１】
この情報ディスクでは、情報ディスクを、内孔が内孔支持部の外周に摺接するＣＤ用のケースに収納しても、情報ディスク貼り合わせ後の内孔内周面における上ディスクと下ディスクとの接合境界部がケースの内孔支持部と当接しなくなり、接触による上ディスクと下ディスクとの剥離が生じなくなる。従って、ＤＶＤ等の貼り合わせて形成した情報ディスクをＣＤ用のケースに収納しても、剥離等の品質低下が生じない。これにより、ＤＶＤ専用のケースを使用しなくとも、市場に多数出回っているＣＤ用ケースをＤＶＤ用ケースとして使用することができる。
【００１２】
請求項２記載の情報ディスクは、前記上ディスク又は前記下ディスクのいずれか一方の前記内孔における周縁を、前記上ディスク又は前記下ディスクのいずれか他方に向けて前記内孔の中心軸に沿って円筒状に延出し、該円筒状の延出部の外周に、前記上ディスク又は前記下ディスクのいずれか他方の前記内孔を外嵌したことを特徴とする。
【００１３】
この情報ディスクでは、上ディスク又は下ディスクのいずれか一方の内孔における周縁が、他方の内孔に向けて円筒状に延出され、情報ディスクの内孔内周面に、上ディスクと下ディスクとの接合境界部が形成されなくなる。つまり、内孔内周面が、一体となった円筒状の延出部の内周面となる。従って、情報ディスクを、内孔が内孔支持部の外周に摺接するＣＤ用のケースに収納しても、上ディスクと下ディスクとの接合境界部がケースの内孔支持部と当接しなくなり、干渉による上ディスクと下ディスクとの剥離が生じなくなる。
【００１４】
請求項３記載の情報ディスクは、前記上ディスク又は前記下ディスクのいずれか他方の外周縁を、前記上ディスク又は前記下ディスクのいずれか一方に向けて前記内孔の中心軸に沿って円筒状に延出し、該円筒状の延出部の内周に、前記上ディスク又は前記下ディスクのいずれか一方の外周を嵌合したことを特徴とする。
【００１５】
この情報ディスクでは、一方のディスクの内孔から延出した円筒状の延出部の外周に、他方のディスクの内孔が外嵌されるのに加え、他方のディスクの外周縁から延出した円筒状の延出部の内周に、一方のディスクの外周が嵌合され、上下ディスクの内孔側及び外周側が嵌合状態となる。つまり、内周面及び外周面が、円筒状延出部の内周面及び外周面となる。これにより、上ディスクと下ディスクとの貼り合わせ強度が高まり、ディスクの剥離がより生じ難くなる。
【００１６】
【発明の実施の形態】
以下、本発明に係る情報ディスクの好適な実施の形態について、図面を参照して詳細に説明する。
図１は本発明に係る情報ディスクの面取り部を示す要部断面図（図７におけるＡ部断面）、図２は面取り部を上下のエッジ部にも形成した情報ディスクの要部断面図、図３は面取り部を円弧状に形成した情報ディスクの要部断面図である。
【００１７】
本実施形態による情報ディスク（ＤＶＤ）３１は、内孔３３を有した上ディスク３５と下ディスク３７との二枚を貼り合せた円環板状となる。なお、本実施の形態においては、情報ディスク３１が上ディスク３５と下ディスク３７との二枚のディスクからなる場合を例に説明するが、本発明に係る情報ディスクは、二枚以上の複数枚のディスクが貼り合わされる場合においても、同様に適用することができ、後述する同様の効果が得られるものである。
【００１８】
情報ディスク３１は、厚み０．６ｍｍの樹脂製円盤である上ディスク３５と下ディスク３７とを接着剤等で貼り合わせてあり、例えば上ディスク３５は、記録層を有するポリカーボネート基板、下ディスク３７は、透明なポリカーボネート基板（ダミー基板）からなる。なお、記録層は下ディスク３７にあってもよく、上ディスク３５と下ディスク３７のそれぞれで単層又は複数層あってもよい。
【００１９】
情報ディスク３１は、上ディスク３５の内孔３３における下面側エッジ部３９と、下ディスク３７の内孔３３における上面側エッジ部４１とを面取り処理することで、各エッジ部３９，４１を内孔内周面３３ａから除去している。これら各エッジ部３９，４１が内孔内周面３３ａから除去された上ディスク３５と下ディスク３７との接合境界部４５は、円周方向に連続したＶ溝状に形成されている。
【００２０】
また、情報ディスク３１は、下面側エッジ部３９及び上面側エッジ部４１の内孔内周面３３ａからの除去に加え、図２に示すように、上ディスク３５の内孔３３における上面側エッジ部４７と、下ディスク３７の内孔３３における下面側エッジ部４９とを同様に除去してもよい。このようにして、上面側エッジ部４７及び下面側エッジ部４９が内孔内周面３３ａから除去された情報ディスク３１によれば、図示しない収納ケースへの収納及び取り出し時に、各エッジ部３９，４１，４７，４９がケースの内孔支持部に当接しなくなるので、内孔支持部に対する円滑な脱着動作が可能となる。
【００２１】
さらに、図１、図２では、下面側エッジ部３９及び上面側エッジ部４１を、断面視において４５度の面取りとした面取り部４３の構造を例示してあるが、この他、面取り部４３として、図３に示すように、断面視において略１／４円弧状に除去した（半径Ｒの丸みを設けた）構造としてもよい。
【００２２】
上記のように構成した情報ディスク３１によれば、内孔内周面３３ａが図８に示した内孔支持部（弾性保持片）５の外周に摺接することとなるＣＤ用のケースに収納しても、貼り合わせ後の内孔内周面３３ａにおける上ディスク３５と下ディスク３７との接合境界部４５がケースの内孔支持部５と当接しなくなり、内孔内周面３３ａと内孔支持部５との接触による上ディスク３５と下ディスク３７との剥離が生じなくなる。従って、ＤＶＤ等の貼り合わせて形成した情報ディスク３１をＣＤ用のケースに収納しても、剥離等の品質低下が生じることがなくなり、市場に多数出回っているＣＤ用ケースをＤＶＤ用ケースとして何ら遜色なく使用することができる。これにより、特別にＤＶＤ専用のケースを用意する必要をなくすことができる。
【００２３】
次に、本発明に係る情報ディスクの第２の実施の形態を説明する。
本実施形態においては、上ディスクと下ディスクとの接合境界部を情報ディスクの表裏面側に形成している。
図４は接合境界部を裏面側に形成した情報ディスクの要部断面図、図５は接合境界部を表裏両側に形成した情報ディスクの要部断面図、図６は接合境界部を表面側に形成した情報ディスクの要部断面図である。
【００２４】
本実施形態による情報ディスク（ＤＶＤ）５１は、図４に示すように、上ディスク３５又は下ディスク３７のいずれか一方（例えば上ディスク３５）の内孔３３における周縁５３が、上ディスク３５又は下ディスク３７のいずれか他方（例えば下ディスク３７）に向けて内孔３３の中心軸に沿って円筒状に延出している。そして、この円筒状の延出部５５の外周に、上ディスク３５又は下ディスク３７のいずれか他方（例えば下ディスク３７）の内孔３３を外嵌した構造となっている。
【００２５】
また、情報ディスク５１は、図５に示すように、上ディスク３５又は下ディスク３７のいずれか他方（例えば下ディスク３７）の外周縁５７を、上ディスク３５又は下ディスク３７のいずれか一方（例えば上ディスク３５）に向けて内孔３３の中心軸に沿って円筒状に延出し、この円筒状の延出部５９の内周に、上ディスク３５又は下ディスク３７のいずれか一方（例えば上ディスク３５）の外周を嵌合した構造としてもよい。
【００２６】
図５に示した変形例では、上ディスク３５の内孔３３から延出した円筒状の延出部５５の外周に、下ディスク３７の内孔３３が外嵌されるとともに、下ディスク３７の外周縁５７から延出した円筒状の延出部５９の内周に、上ディスク３５の外周が嵌合され、上下ディスク３５，３７の内孔側及び外周側が嵌合状態となる。つまり、内孔３３の内周面及び情報ディスク５１の外周面が、延出部５５の内周面５５ａ及び延出部５９の外周面５９ａとなって、上ディスク３５と下ディスク３７との接合境界部は情報ディスク５１の表裏面に存在することになる。これにより、上ディスク３５と下ディスク３７との貼り合わせ強度が高まり、情報ディスク５１の剥離がより生じ難くなる。また、情報ディスク５１の取り扱い時等に、外力によって双方のディスク３５，３７に剥離が生じることはない。
【００２７】
上記のように構成した情報ディスク５１によれば、上ディスク３５又は下ディスク３７のいずれか一方の内孔３３孔における周縁５３が、他方の内孔３３に向けて円筒状に延出され、情報ディスク５１の内孔内周面３３ａに、上ディスク３５と下ディスク３７との接合境界部４５が形成されなくなる。従って、内孔３３が内孔支持部の外周に摺接するＣＤ用のケースに、情報ディスク５１を収納しても、上ディスク３５と下ディスク３７との接合境界部４５がケースの内孔支持部と当接しなくなり、接触による上ディスク３５と下ディスク３７との剥離が生じなくなる。これにより、ＤＶＤ専用のケースを使用しなくとも、市場に多数出回っているＣＤ用ケースがＤＶＤ用ケースとしても使用可能となる。また、一方のディスクの円筒状の延出部５５の外周に、他方のディスクの内孔３３が外嵌されるので、上ディスク３５と下ディスク３７との半径方向における位置合わせが容易且つ高精度となる。
【００２８】
なお、上記した第２の実施の形態では、上ディスク３５の周縁５３を下ディスク３７に向けて延出し、この延出部５５の外周に下ディスク３７の内孔３３を外嵌する構造を例としたが、情報ディスク５１は、これとは逆に、図６に示すように、下ディスク３７の周縁６１を上ディスク３５に向けて延出し、この延出部６３の外周に上ディスク３５の内孔３３を外嵌する構造としても、上記と同様の効果を奏するものである。
【００２９】
【発明の効果】
以上詳細に説明したように、本発明に係る情報ディスクによれば、それぞれ中心に内孔を有した上ディスクと下ディスクとを貼り合せた円環板状の情報ディスクであって、上ディスクの内孔における下面側エッジ部と、下ディスクの内孔における上面側エッジ部とを、内孔の内周面から除去して形成した面取り部を有するので、情報ディスクを、内孔が内孔支持部の外周に摺接するＣＤ用のケースに収納しても、情報ディスク貼り合わせ後の内孔内周面における上ディスクと下ディスクとの接合境界部がケースの内孔支持部と当接しなくなり、接触による上ディスクと下ディスクとの剥離が生じなくなる。従って、ＤＶＤ等の貼り合わせ情報ディスクを、ＣＤ用のケースに収納しても、剥離等の品質低下が生じない。この結果、ＤＶＤ専用のケースを使用しなくとも、市場に多数出回っているＣＤ用ケースをＤＶＤ用ケースとして使用できるようになり、ユーザの使い勝手を向上させ、しかも、ＤＶＤ用の専用ケースを廃止してケースの製造コストを低減させることができる。
【図面の簡単な説明】
【図１】本発明に係る情報ディスクの面取り部を示す要部断面図である。
【図２】面取り部を上下のエッジ部にも形成した情報ディスクの要部断面図である。
【図３】面取り部を円弧状に形成した情報ディスクの要部断面図である。
【図４】接合境界部を裏面側に形成した情報ディスクの要部断面図である。
【図５】接合境界部を表裏両側に形成した情報ディスクの要部断面図である。
【図６】接合境界部を表面側に形成した情報ディスクの要部断面図である。
【図７】従来のＣＤの斜視図である。
【図８】ＣＤ及びＣＤを収納したケースの要部断面図である。
【図９】従来のＤＶＤの要部断面図である。
【図１０】従来のＤＶＤを収納したケースの要部断面図である。
【符号の説明】
３１、５１…情報ディスク
３３…内孔
３５…上ディスク
３７…下ディスク
３９…下面側エッジ部
４１…上面側エッジ部
４３…面取り部
５３…内孔における周縁
５５…延出部
５７…外周縁
５９…延出部
【図１】
2004139667.tif 000003
【図２】
2004139667.tif 000004
【図３】
2004139667.tif 000005
【図４】
2004139667.tif 000006
【図５】
2004139667.tif 000007
【図６】
2004139667.tif 000008
【図７】
2004139667.tif 000009
【図８】
2004139667.tif 000010
【図９】
2004139667.tif 000011
【図１０】
2004139667.tif 000012